(57)【要約】【課題】被災者が、自宅において十分な備蓄を行うことができ、かつ、迅速な避難を妨げることのない備蓄装置を提供することを目的とする。【解決手段】本体部１は、備蓄品を内部空間に収納可能で、外部を流れる流体に対する抵抗が小さくなるように、少なくとも一部の外形が凸曲面状に形成されている。支持部２は、上下に延びる棒状体で、一端で本体部１０を固定し、他端が地中に固定されている。本体部１０には、内部空間を冷却する冷却機構が設けられている。【選択図】図１
2015014184.tif 000002
【特許請求の範囲】
【請求項１】
備蓄品を内部空間に収納可能で、外形の少なくとも一部が凸曲面状に形成された本体部と、
上下に延びる棒状体で、一端で前記本体部を固定し、他端が地中に固定された支持部と、
を備え、
前記本体部には、前記内部空間を冷却する冷却機構が設けられている、
備蓄装置。
【請求項２】
前記本体部の前記内部空間は、複数の空間に分割されており、
前記複数の空間のうち、最下方の第１の空間と、前記第１の空間に冷却水を供給し排出する配管部とが、前記冷却機構として設けられている、
請求項１に記載の備蓄装置。
【請求項３】
前記配管部は、
家庭用の水道水を前記冷却水として前記第１の空間に供給する、
請求項２に記載の備蓄装置。
【請求項４】
前記複数の空間のうち、前記第１の空間の直上の第２の空間には、前記第１の空間に張り出す張り出し部が設けられている、
請求項２又は３に記載の備蓄装置。
【請求項５】
前記張り出し部を塞ぐ内蓋部をさらに備える、
請求項４に記載の備蓄装置。
【請求項６】
前記本体部は、前記支持部に固定された下側本体と、前記下側本体とともに前記内部空間を形成し、前記内部空間を開閉可能な上蓋部と、から形成され、
前記内部空間が閉じた状態で、互いに嵌め合う溝部及び突出部が、前記下側本体及び前記上蓋部に形成されている、
請求項１乃至５のいずれか一項に記載の備蓄装置。
【請求項７】
前記溝部には、
前記突出部と接触する弾性材料が形成されている、
請求項６に記載の備蓄装置。
【請求項８】
前記支持部は、
地中に固定された第１の支持部と、
前記第１の支持部と着脱可能で、前記本体部と固定された第２の支持部と、
を備え、
前記配管部は、
外部の管と着脱可能である、
請求項２に記載の備蓄装置。
【発明の詳細な説明】
【技術分野】
【０００１】
本発明は、備蓄装置に関する。
【背景技術】
【０００２】
従来より、地震等の災害に備えて、飲料水を備蓄する備蓄装置が開示されている（例えば、特許文献１参照）。しかしながら、災害に備えて備蓄が必要なのは、飲料水だけではない。
【先行技術文献】
【特許文献】
【０００３】
【特許文献１】実用新案登録第３０１５０２５号公報
【発明の概要】
【発明が解決しようとする課題】
【０００４】
２０１１年３月１１日に発生した東日本大震災は、大規模な被害をもたらした。中でも、津波による被害は甚大であった。津波は、家及び生活用品すべてを押し流した。
【０００５】
地震等の災害に備え、いざというときに備蓄品等を自宅から持ち出すための非常用持ち出し袋を用意している家庭もある。しかしながら、非常用持ち出し袋を家に取りに戻り、不幸にして、津波に巻き込まれてしまう場合も考えられる。
【０００６】
また、東日本大震災の教訓からすると、災害が発生した日から３日間は、外部からの支援は期待することができないことが経験的にわかっている。そこで、少なくとも３日間程度の生活に必要な備蓄品を備蓄することが望ましいとされている。
【０００７】
本発明は、上記実情の下になされたものであり、被災者が、自宅において十分な備蓄を行うことができるとともに、迅速に避難することができる備蓄装置を提供することを目的とする。
【課題を解決するための手段】
【０００８】
上記目的を達成するため、本発明の備蓄装置は、
備蓄品を内部空間に収納可能で、外形の少なくとも一部が凸曲面状に形成された本体部と、
上下に延びる棒状体で、一端で前記本体部を固定し、他端が地中に固定された支持部と、
を備え、
前記本体部には、前記内部空間を冷却する冷却機構が設けられている。
【０００９】
この場合、前記本体部の前記内部空間は、複数の空間に分割されており、
前記複数の空間のうち、最下方の第１の空間と、前記第１の空間に冷却水を供給し排出する配管部とが、前記冷却機構として設けられている、
こととしてもよい。
【００１０】
この場合、前記配管部は、
家庭用の水道水を前記冷却水として前記第１の空間に供給する、
こととしてもよい。
【００１１】
また、前記複数の空間のうち、前記第１の空間の直上の第２の空間には、前記第１の空間に張り出す張り出し部が設けられている、
こととしてもよい。
【００１２】
この場合、前記張り出し部を塞ぐ内蓋部をさらに備える、
こととしてもよい。
【００１３】
前記本体部は、前記支持部に固定された下側本体と、前記下側本体とともに前記内部空間を形成し、前記内部空間を開閉可能な上蓋部と、から形成され、
前記内部空間が閉じた状態で、互いに嵌め合う溝部及び突出部が、前記下側本体及び前記上蓋部に形成されている、
こととしてもよい。
【００１４】
この場合、前記溝部には、
前記突出部と接触する弾性材料が形成されている、
こととしてもよい。
【００１５】
また、前記支持部は、
地中に固定された第１の支持部と、
前記第１の支持部と着脱可能で、前記本体部と固定された第２の支持部と、
を備え、
前記配管部は、
外部の管と着脱可能である、
こととしてもよい。
【発明の効果】
【００１６】
本発明によれば、備蓄装置の本体部は、地中に固定された支持部に固定され、かつ、外形の少なくとも一部が凸曲面状に形成されている。このため、備蓄装置は、津波に流されにくくなっている。したがって、この備蓄装置の内部空間を有る程度の大きさとして、必要な備蓄品を備蓄しておけば、被災者は、災害発生時に必要最低限のもの（軽いもの）だけを持ち出して、あるいは身１つで避難することができる。この結果、被災者が、自宅において十分な備蓄を行うことができるとともに、迅速に避難することができる。本体部には冷却機構が設けられているので、備蓄品の長期保存も可能である。
【図面の簡単な説明】
【００１７】
【図１】（Ａ）は、備蓄装置の正面図であり、（Ｂ）は、備蓄装置の側面図である。
【図２】本体部の内部空間を示す断面図である。
【図３】本体部の一部断面図である。
【図４】この発明に係る備蓄装置の変形例を示す正面図である。
【図５】図４の備蓄装置の配管部を示す図である。
【発明を実施するための形態】
【００１８】
以下、本発明の実施の形態について、図面を参照して詳細に説明する。
【００１９】
図１（Ａ）及び図１（Ｂ）に示すように、備蓄装置１００は、本体部１と、支持部２とを備える。
【００２０】
本体部１は、備蓄品を内部空間に収納可能である。本体部１は、外部を流れる流体に対する抵抗が小さくなるように、外形の少なくとも一部が凸曲面状に形成されている。具体的には、本体部１は、略円柱状で、両端が半球形となっている。本体部１は、例えば、鉄製であり、津波にも耐えられる強度を有している。
【００２１】
支持部２は、上下に延びる２本の棒状の物体である。支持部２は、本体部１を一端で固定し、他端が地中（例えば、コンクリート中）に埋められ、固定されている。支持部２の地中の深さは、津波に対して持ちこたえられる程度の深さ（例えば２ｍ）である。支持部２も、例えば鉄製である。支持部２により、本体部１は、有る程度高い位置に設置されている。このため、本体部１が水につかりにくくなっている。また、支持部２は、細く形成されているので、津波にも耐えやすくなっている。
【００２２】
このような備蓄装置１００は、例えば、自宅の敷地内（例えば、庭先）などに設置されるが、これには限定されない。
【００２３】
本体部１には、内部空間を冷却する冷却機構が設けられている。以下、その冷却機構について説明する。
【００２４】
図２に示すように、本体部１の内部空間は、複数の空間に分割されている。複数の空間のうち、最も下を第１の空間１１とし、その上の空間を第２の空間１２とし、一番上の空間を第３の空間１３とする。第１の空間１１と第２の空間１２との間は、水が漏れることのないように完全に仕切られている。また、第２の空間１２と第３の空間１３との間は中蓋部２１で仕切られている。中蓋部２１をとれば、第２の空間１２と第３の空間１３とは、１つの空間となる。
【００２５】
図１に戻り、備蓄装置１００には、最下方の第１の空間１１に冷却水を供給し、排出する配管部１０がさらに設けられている。
【００２６】
配管部１０は、家庭用の水道水を冷却水として第１の空間１１に供給する。例えば、配管部１０は、住居内の水道配管と接続されており、水道水が、配管部１０を介して、第１の空間１１に供給され、第１の空間１１から排出された水道水が、住居内の水道配管に戻るようになっている。
【００２７】
配管部１０は、トイレの配管と接続されるようにしてもよい。トイレは、日常的に使用され、水道水の流動が大きいため、冷却効果が高まる。したがって、トイレで使用される水道水を冷却水として用いるのが望ましい。
【００２８】
第１の空間１１に冷却水を流すことにより、内部空間、特に第２の空間１２内の温度上昇が抑制される。したがって、第１の空間１１に接する第２の空間１２には、熱に弱い物を入れておくとよい。
【００２９】
複数の空間のうち、第１の空間１１の直上の第２の空間１２には、第１の空間１１に張り出す張り出し部２０が設けられている。この張り出し部２０は、上部を除き、第１の空間１１に囲まれている。このため、張り出し部２０に、冷却保存が必要な備蓄品を収納するのが望ましい。例えば、非常食をプラスチックケースに入れて、張り出し部２０に保存しておくことができる。
【００３０】
備蓄装置１００には、張り出し部２０を塞ぐ内蓋部２２がさらに設けられている。この内蓋部２２により、張り出し部２０における冷却効果がさらに高まる。
【００３１】
本体部１について、さらに詳細に説明する。本体部１は、下側本体３０と、上蓋部３１と、から形成されている。下側本体３０は、支持部２に固定されている。また、上蓋部３１は、下側本体３０とともに内部空間を形成し、蝶番７３（図１（Ｂ）参照）を介して、内部空間を開閉可能に構成されている。開閉時には、ノブ７０（図１（Ａ）参照）を持つと、開けやすくなっている。
【００３２】
図３には、本体部１の内部空間が閉じた状態で、下側本体３０と上蓋部３１とが接する部分の一部断面図が示されている。図３に示すように、溝部４０が下側本体３０に形成され、突出部４１が上蓋部３１に形成されている。溝部４０と突出部４１とは、内部空間が閉じた状態で、互いに嵌まり合うようになっている。この構成により、内部空間の密閉度が向上し、外部からの水の侵入を防止することができる。なお、下側本体３０に突出部４１が形成され、上蓋部３１に溝部４０が形成されていてもよい。
【００３３】
溝部４０内には、ゴム等の弾性体５０が設けられている。この弾性体５０により、本体部１の内部空間の密閉度がさらに高まっている。
【００３４】
図１に戻り、下側本体３０と上蓋部３１には、鍵６０が設けられている。鍵６０が閉まることにより、津波等による不慮の力により、上蓋部３１が開くのを防止することができる。
【００３５】
また、鍵６０の両側及び本体部１の側面には、ロック７１が設けられている。ロック７１は、ボルトとナットとに類似した締め付け具であり、このロック７１の締め付けにより、下側本体３０と上蓋部３１とをさらに固定することができる。
【００３６】
吊りピース７２は、例えば、設置時にクレーン等により、本体部１を吊すために設けられている。
【００３７】
以上詳細に説明したように、本実施の形態によれば、備蓄装置１００の本体部１は、地中に固定された支持部２に固定され、かつ、外形の少なくとも一部が凸曲面状に形成されている。このため、備蓄装置１００は、津波に流されにくくなっている。したがって、この備蓄装置１００の内部空間を有る程度の大きさとして、必要な備蓄品を備蓄しておけば、被災者は、災害発生時に必要最低限のもの（軽いもの）だけを持ち出して、あるいは身１つで避難することができる。この結果、被災者が、自宅において十分な備蓄を行うことができるとともに、迅速に避難することができる。本体部１には冷却機構が設けられているので、備蓄品の長期保存も可能である。
【００３８】
なお、上記実施の形態では、本体部１の形状を、略円柱状で、両端が半球形であるものとしたが、本発明はこれには限られない。例えば、本体部１の形状は球状であってもよいし、ひょうたん状であってもよいし、ラグビーボールに似た形状であってもよい。要は、外形の少なくとも一部が凸曲面状に形成されていればよい。
【００３９】
なお、上記実施の形態では、支持部２の本数を２本としたが、本発明はこれには限られない。例えば、１本でも良いし、３本以上であってもよい。
【００４０】
また、配管部１０には、配管を開閉するバルブが設けられていてもよい。
【００４１】
本体部１の内部空間の容積には、特に限定はないが、例えば、３日間の食料、飲料水が備蓄可能な大きさがあるのが望ましい。
【００４２】
また、上記実施の形態では、第１の空間１１から排出された水道水が、住居に戻るようにしたが、そのまま下水に排出されるようにしてもよい。
【００４３】
また、冷却機構も、上記実施の形態のものには限られない。
【００４４】
また、備蓄装置１００は耐火性を有していても良い。このようにすれば、地震だけでなく、火災等にも対応することができるようになる。
【００４５】
備蓄装置１００の変形例について説明する。図４に示すように、この備蓄装置１００において、支持部２は、図１（Ａ）に示すものよりも短くなっている。これにより、本体部１の高さは図１のものよりも低くなっており、低い位置での作業が楽な人向けとなっている。支持部２は、下支持部２Ａと上支持部２Ｂとを備えている。下支持部２Ａは、地中に固定されている。上支持部２Ｂは、下支持部２Ａと着脱可能で、本体部１と固定されている。下支持部２Ａと上支持部２Ｂとは、ボルト２Ｃで接続されている。下支持部２Ａ、上支持部２Ｂの固定は、ボルト２Ｃによるものには限られない。
【００４６】
また、この備蓄装置１００では、両端に配管部２５が設けられている。配管部２５は、外部の配管、例えばホース２６を着脱可能となっている。図５に示すように、配管部２５にはバルブ２７が設けられ、ホース２６を外した場合にも、第１の空間１１内の水が外に漏れ出さないようになっている。
【００４７】
このようにして、備蓄装置１００は、支持部２Ａ及び配管部２５を着脱可能とすることが可能である。これにより、大規模な災害が発生した後に、傷んだ備蓄装置１００を取り替えることができる。また、災害後に備蓄装置１００を取り外し、工場で修理して、また設置し直すこともできる。このようにして、次の災害に備えることができる。また、災害が発生していない場合であっても、備蓄装置１００を取り外し可能とすることで、備蓄装置１００のメンテナンスが容易になる。
【００４８】
この発明は、この発明の広義の精神と範囲を逸脱することなく、様々な実施の形態及び変形が可能とされるものである。また、上述した実施の形態は、この発明を説明するためのものであり、この発明の範囲を限定するものではない。すなわち、この発明の範囲は、実施の形態ではなく、特許請求の範囲によって示される。そして、特許請求の範囲内及びそれと同等の発明の意義の範囲内で施される様々な変形が、この発明の範囲内とみなされる。
【産業上の利用可能性】
【００４９】
本発明は、災害時のために備蓄品を蓄える備蓄装置に好適である。
【符号の説明】
【００５０】
１    本体部
２    支持部
２Ａ  下支持部
２Ｂ  上支持部
２Ｃ  ボルト
１０    配管部
１１    第１の空間
１２    第２の空間
１３    第３の空間
２０    張り出し部
２１    中蓋部
２２    内蓋部
２５    配管部
２６    ホース
２７    バルブ
３０    下側本体
３１    上蓋部
４０    溝部
４１    突出部
５０    弾性体
６０    鍵
７０    ノブ
７１    ロック
７２    吊りピース
７３    蝶番
１００    備蓄装置
【図１】
2015014184.tif 000003
【図２】
2015014184.tif 000004
【図３】
2015014184.tif 000005
【図４】
2015014184.tif 000006
【図５】
2015014184.tif 000007